(57)【要約】  既存の野生動物用捕獲籠に取り付けることによって、アライグマのみを捕獲籠で捕獲することができるアライグマ用捕獲モジュールであって、横長の籠の入口を開閉する扉と、扉を開放状態でロックするロック機構と、ロック機構のロック解除動作を行うトリガ部材に連絡する連絡部材とを少なくとも備えた野生動物捕獲籠に取り付けるアライグマ捕獲用モジュールを、籠の扉と反対側の端部に取付可能な中空の筺体から構成し、筺体の扉側の面には、アライグマの上腕が挿入可能な腕挿入口を設け、筺体内部には、アライグマが開口部から上腕まで挿入した時に指先が届く範囲内に、餌を入れる餌置き部を設け、アライグマの餌置き部から餌を取る動作で連結部材が連絡部材にロック機構のロック解除動作を行わせるように構成した。
2014046264.tif 000002
【特許請求の範囲】
【請求項１】
野生動物を収容する籠と、該籠の一端にある入口を開閉する扉と、該扉を開放状態でロックするロック機構と、野生動物が餌を取る動作を行った時に前記ロック機構のロック解除動作を行うトリガ部材に連絡する連絡部材とを少なくとも備えた野生動物捕獲籠に、取り付けることができるアライグマ捕獲用モジュールであって、
前記入口の反対側にある後壁を除去して形成されるモジュール取付孔に取り付ける中空の筺体を備え、
前記筺体の前記入口側の面には、アライグマの上腕が挿入可能な腕挿入口があり、
前記筺体の内部には、アライグマが前記腕挿入口から上腕まで挿入した時に手が届く範囲内に、餌を入れる餌置き部材が設けられており、
前記餌置き部材には前記連絡部材に接続する連結部材が設けられていて、
アライグマが前記餌置き部材から餌を取る動作を行うと、前記連結部材が前記連絡部材に前記ロック機構のロック解除動作を行わせることを特徴とするアライグマ捕獲用モジュール。
【請求項２】
請求項１に記載のアライグマ捕獲用モジュールであって、前記筐体は前記モジュール取付孔の内側に挿入されて前記野生動物捕獲籠に取り付けられることを特徴とするアライグマ捕獲用モジュール。
【請求項３】
請求項２に記載のアライグマ捕獲用モジュールであって、前記筺体の前記入口側と反対側の面の外縁部にフランジ部が形成されており、前記筺体は前記モジュール取付孔から前記籠内に、前記フランジ部が当接する位置まで差し込まれて固定されることを特徴とするアライグマ捕獲用モジュール。
【請求項４】
請求項１に記載のアライグマ捕獲用モジュールであって、前記筺体の前記入口側の面には取付枠が設けられており、前記取付枠の内側に、前記野生動物捕獲籠の前記モジュール取付孔の外側を挿入することによって、前記筐体が前記野生動物捕獲籠に取り付けられることを特徴とするアライグマ捕獲用モジュール。
【請求項５】
請求項１に記載のアライグマ捕獲用モジュールであって、前記筺体は前記籠の前記モジュール取付孔側側面に設けた横孔から前記籠に差し込まれて固定されることを特徴とするアライグマ捕獲用モジュール。
【請求項６】
請求項１から５の何れか１項に記載のアライグマ捕獲用モジュールであって、前記腕挿入口が前記入口側の面の下部に開けられた孔であり、前記餌置き部材が前記筺体の天井部から吊り下げられた餌籠であり、前記餌籠を吊り下げるワイヤが前記連絡部材に接続されていることを特徴とするアライグマ捕獲用モジュール。
【請求項７】
請求項１から５の何れか１項に記載のアライグマ捕獲用モジュールであって、
前記腕挿入口が前記入口側の面の下部に開けられた孔であり、
前記筺体の内部には前記孔の位置から斜め上方に傾斜するスロープが設けられており、
前記餌置き部材は、前記スロープの上に係止状態で置かれており、
アライグマの餌を取る動作で前記スロープの上を摺動することを特徴とするアライグマ捕獲用モジュール。
【請求項８】
請求項１から５の何れか１項に記載のアライグマ捕獲用モジュールであって、
前記腕挿入口が前記入口側の面の下端部から所定の高さを備えた位置に開けられた円形孔であり、
記餌置き部材が、前記円形孔の直下に設けられた腕置き板と腕置き板の先から手前に戻る方向に設けられた餌収納穴とを備える餌容器であり、
前記餌収納穴の奥に、アライグマが餌を取る動作で回転して、前記連絡部材に前記ロック機構のロック解除動作を行わせるトリガ部材が設けられていることを特徴とするアライグマ捕獲用モジュール。
【請求項９】
請求項１から８の何れか１項に記載のアライグマ捕獲用モジュールであって、
前記筺体に、前記筺体の前後方向を貫通する貫通孔と、前記貫通孔を開閉するシャッタ板が設けられており、
前記貫通孔には外側からアライグマを収容する容積を備えたキャリーステーションが取り付けられるようになっており、
前記キャリーステーションには内側にしか開かないシャッタと取っ手とが設けられていて、
前記貫通孔を通過して前記キャリーステーション内に収容したアライグマを、前記キャリーステーションによって別の場所に運搬できることを特徴とするアライグマ捕獲用モジュール。
【請求項１０】
請求項９に記載のアライグマ捕獲用モジュールであって、前記キャリーステーションは、積み重ね可能に形成されていることを特徴とするアライグマ捕獲用モジュール。
【請求項１１】
請求項９または１０に記載のアライグマ捕獲用モジュールであって、前記前記キャリーステーションは、前記入口側開口の面が前記餌を視認可能な透明度を備えた樹脂製であり、他の面が遮光性部材で形成されていることを特徴とするアライグマ捕獲用モジュール。
【請求項１２】
請求項１から１１の何れか１項に記載のアライグマ捕獲用モジュールであって、前記筺体の内部にアライグマを呼び寄せる誘引作用を備えた芳香発生器と、芳香剤からの香りを筺体外部に放出するファンが設けられていることを特徴とするアライグマ捕獲用モジュール。
【請求項１３】
請求項１２に記載のアライグマ捕獲用モジュールであって、アライグマ捕獲用モジュールにタイマーが設けられており、該タイマーは前記ファンを、アライグマの行動が盛んになる時間帯に動作するように設定されていることを特徴とするアライグマ捕獲用モジュール。
【請求項１４】
請求項１から１３の何れか１項に記載のアライグマ捕獲用モジュールであって、
前記アライグマ捕獲用モジュールは中継部材を備えており、
前記連結部材の自由端部は、前記中継部材を介して前記連絡部材に接続されることを特徴とするアライグマ捕獲用モジュール。
【請求項１５】
請求項１４に記載のアライグマ捕獲用モジュールであって、
前記中継部材は、前記籠上に設置された保持部材に保持されており、前記連結部材から所定の引っ張り力が加わると前記保持部材から外れて前記連結部材を前記連絡部材に接続することを特徴とするアライグマ捕獲用モジュール。
【請求項１６】
上部開口と底面とを備える中空の柱状容器と、前記柱状容器の上部側面に軸支されて回転し、前記上部開口を開閉する蓋と、該蓋を閉じた状態でロックするロック機構とを備える縦型収納容器に、取り付けることができるアライグマ捕獲用モジュールであって、
前記柱状容器の下部側面の一部を除去して形成される側面開口に取り付ける中空の筺体を備え、
前記筺体の前記側面開口側の面には、アライグマの上腕が挿入可能な腕挿入口があり、
前記筺体の内部には、アライグマが前記腕挿入口から上腕まで挿入した時に手が届く範囲内に、餌を入れる餌置き部材が設けられており、
前記餌置き部材には前記ロック機構に接続する伝達部材が設けられていて、
アライグマが前記餌置き部材から餌を取る動作を行うと、前記伝達部材が前記ロック機構に前記蓋のロック動作を行わせることを特徴とするアライグマ捕獲用モジュール。
【請求項１７】
縦型の直方体状の籠と、該籠の１つの側面の下部にある入口を開閉する扉と、該扉を開放状態でロックするロック機構と、前記籠の天井部から吊り下げられた餌掛けフックと、前記フックと前記ロック機構を連絡し、前記籠内に進入した動物が前記フックに掛けられた餌を取る動作を行った時に前記ロック機構のロック解除動作を行うロック解除機構を備える動物捕獲籠に、取り付けることができるアライグマ捕獲用モジュールであって、
前記籠の上方の内壁部に取り付ける中空の筺体を備え、
前記筺体の前記入口側の面には、アライグマの上腕が挿入可能な腕挿入口があり、
前記筺体の内部には、アライグマが前記腕挿入口から上腕まで挿入した時に手が届く範囲内に、餌を入れる餌置き部材が設けられており、
前記餌置き部材には前記ロック解除機構に接続する伝達部材が設けられていて、
アライグマが前記餌置き部材から餌を取る動作を行うと、前記伝達部材が前記ロック機構にロック解除動作を行わせることを特徴とするアライグマ捕獲用モジュール。
【請求項１８】
アライグマ捕獲装置であって、
野生動物を収容する籠と、
該籠の一端にある入口を開閉する扉と、
該扉を開放状態でロックするロック機構と、
野生動物が餌を取る動作を行った時に前記ロック機構のロック解除動作を行うトリガ部材に連絡する連絡部材と、
前記連絡部材を動作させるアライグマ捕獲用モジュールとを備え、
前記アライグマ捕獲用モジュールが、
前記入口の反対側にある後壁を除去して形成されるモジュール取付孔に取り付ける中空の筺体と、
前記筺体の前記入口側の面に設けられ、アライグマの上腕が挿入可能な腕挿入口と、
前記筺体の内部に設けられ、アライグマが前記腕挿入口から上腕まで挿入した時に手が届く範囲内に位置して、餌を入れる餌置き部材と、
前記餌置き部材に設けられ、前記連絡部材に接続する連結部材とを備え、
アライグマが前記餌置き部材から餌を取る動作を行うと、前記連結部材が前記連絡部材に前記ロック機構のロック解除動作を行わせることを特徴とするアライグマ捕獲装置。
【発明の詳細な説明】
【技術分野】
【０００１】
本発明は、野生動物捕獲用の籠に取り付けることによって、手を使って餌を食べるアライグマのみを捕獲することができるアライグマ捕獲用モジュール及びアライグマ捕獲装置に関する。
【背景技術】
【０００２】
従来、口で餌を捕食する野生動物用の捕獲器、例えばネズミ捕り器が知られている。しかし近年、ネズミ以外の野生動物、例えばアライグマ、ハクビシン、猿等の被害が広がっている。これは野生動物の生息域が広がったためであり、その原因としては過疎化による山際での人口減少や、野生動物の人間の生活環境への対応能力の向上が考えられる。これらの野性動物の中でも、特にアライグマはアライグマ回虫、狂犬病、レプトスピラ症等の人畜共通の感染症のキャリアになる可能性が大きく、現在の生息域が大都市に近づいていることから、その捕獲処分が野性動物管理上の最優先課題となっている。このような野生動物による被害に対して、特に被害の大きいアライグマを捕獲するために、アライグマの習性を利用した捕獲籠が特許文献１に開示されている。【０００３】
特許文献１に開示の捕獲籠は、アライグマを捕獲すると閉じる前扉と通常は閉じている後扉とを備えた金属製の網籠において、後扉の近くの上部に餌台を設け、この餌台に餌を置き、アライグマが籠内に侵入して餌を引っ張ると前扉が閉まるようにしたものである。即ち、特許文献１に開示の捕獲籠では、アライグマが籠内に侵入し、餌を取ろうとして両手で餌の入った餌籠を手前に引っ張ると、餌籠に接続するワイヤーロープが引っ張られて前扉のロックが外れ、前扉が閉じるようになっている。そして、捕獲したアライグマは、後扉に隣接させて取り付けることができる独立したキャリー籠に、後扉を開けた状態で追い込んで移し、キャリー籠を捕獲籠から取り外して搬送される。
【先行技術文献】
【特許文献】
【０００４】
【特許文献１】実用新案登録第３１７０５５５号公報
【発明の概要】
【発明が解決しようとする課題】
【０００５】
ところが、特許文献１に開示の捕獲籠は、後扉の近くの上部に餌台があるとは言え、捕獲籠に侵入した口で餌を捕食する野生動物によっても餌台上の餌が引っ張られる可能性があり、この場合には捕獲したい野生動物以外の野生動物を誤って捕獲する虞があった。そして、見掛けがアライグマに似た狸が誤って捕獲された場合は、狸は在来種で捕獲できないために直ぐに開放しなければならず、捕獲籠を常に監視する必要がある等、管理に手間がかかっていた。【０００６】
本発明は、既存の野性動物捕獲用の籠に取り付けることによって、手を使って餌を捕食する野生動物であるアライグマのみを捕獲し、手を使わずに餌を捕食する野生動物は捕獲できないようにした、アライグマ捕獲用モジュール及びアライグマ捕獲装置を提供することを目的とする。
【課題を解決するための手段】
【０００７】
本発明の一観点によれば、野生動物を収容する籠と、籠の一端にある入口を開閉する扉と、扉を開放状態でロックするロック機構と、野生動物が餌を取る動作を行った時にロック機構のロック解除動作を行うトリガ部材に連絡する連絡部材とを少なくとも備えた野生動物捕獲籠に、取り付けることができるアライグマ捕獲用モジュールであって、入口の反対側にある後壁を除去して形成されるモジュール取付孔に取り付ける中空の筺体を備え、筺体の入口側の面には、アライグマの上腕が挿入可能な腕挿入口があり、筺体の内部には、アライグマが腕挿入口から上腕まで挿入した時に手が届く範囲内に、餌を入れる餌置き部材が設けられており、餌置き部材には連絡部材に接続する連結部材が設けられていて、アライグマが餌置き部材から餌を取る動作を行うと、連結部材が連絡部材にロック機構のロック解除動作を行わせることを特徴とするアライグマ捕獲用モジュールが提供される。【０００８】
本発明の他の観点によれば、アライグマ捕獲装置であって、野生動物を収容する籠と、籠の一端にある入口を開閉する扉と、扉を開放状態でロックするロック機構と、野生動物が餌を取る動作を行った時にロック機構のロック解除動作を行うトリガ部材に連絡する連絡部材と、連絡部材を動作させるアライグマ捕獲用モジュールとを備え、アライグマ捕獲用モジュールが、入口の反対側にある後壁を除去して形成されるモジュール取付孔に取り付ける中空の筺体と、筺体の前記入口側の面に設けられ、アライグマの上腕が挿入可能な腕挿入口と、筺体の内部に設けられ、アライグマが腕挿入口から上腕まで挿入した時に手が届く範囲内に位置して、餌を入れる餌置き部材と、餌置き部材に設けられ、連絡部材に接続する連結部材とを備え、アライグマが餌置き部材から餌を取る動作を行うと、連結部材が連絡部材にロック機構のロック解除動作を行わせることを特徴とするアライグマ捕獲装置が提供される。
【図面の簡単な説明】
【０００９】
【図１Ａ】図１Ａは本発明のアライグマ捕獲用モジュールを取り付ける既存の野生動物捕獲用籠の一例の構造を示す斜視図である。
【図１Ｂ】図１Ｂは本発明のアライグマ捕獲用モジュールを取り付ける既存の野生動物捕獲用籠の別の例の構造を示す斜視図である。
【図２】図２は図１Ａと図１Ｂに示した既存の野生動物捕獲用籠に取り付ける本発明の３種類のアライグマ捕獲用モジュールの外観を示す斜視図である。
【図３Ａ】図３Ａは図２に示した本発明の第１の種類のアライグマ捕獲用モジュールの第１の実施例を野生動物捕獲用籠に取り付けた状態を示す断面図である。
【図３Ｂ】図３Ｂは図２に示した本発明の第１の種類のアライグマ捕獲用モジュールの第２の実施例を野生動物捕獲用籠に取り付けた状態を示す断面図である。
【図３Ｃ】図３Ｃは図２に示した本発明の第１の種類のアライグマ捕獲用モジュールの第３の実施例を野生動物捕獲用籠に取り付けた状態を示す断面図である。
【図３Ｄ】図３Ｄは図２に示した本発明の第２の種類のアライグマ捕獲用モジュールの一実施例を野生動物捕獲用籠に取り付けた状態を示す断面図である。
【図４Ａ】図４Ａは図２に示した本発明の第３の種類のアライグマ捕獲用モジュールの一実施例の内部構造を正面側から見て示す透視図である。
【図４Ｂ】図４Ｂは図４Ａに示したアライグマ捕獲用モジュールを背面側から見た斜視図である。
【図４Ｃ】図４Ｃは本発明のアライグマ捕獲用モジュールが取り付けられた既存の野生動物捕獲用籠の端部において、アライグマ捕獲用モジュールの外側を籠の外側から覆う遮光カバーの斜視図である。
【図５Ａ】図５Ａは図４Ａに示した第３の種類のアライグマ捕獲用モジュール内のスロープに餌容器がセットされた状態を示す透視図である。
【図５Ｂ】図５Ｂは図５Ａに示した第３の種類のアライグマ捕獲用モジュールの変形実施例を示す外観図である。
【図５Ｃ】図５Ｃは図５Ａに示した第３の種類のアライグマ捕獲用モジュールの別の変形実施例を示す概略図である。
【図５Ｄ】図５Ｄは図５Ａに示した第３の種類のアライグマ捕獲用モジュールの後ろにキャリーステーションを取り付けた状態を示す側面図である。
【図６Ａ】図６Ａは図５Ａに示した第３の種類のアライグマ捕獲用モジュール内に、アライグマを呼び寄せる誘引作用を備えた芳香剤と、芳香剤からの香りを筺体外部に放出するファンを設けた実施例を示す正面図である。
【図６Ｂ】図６Ｂは図５ＡのＡ部の部分拡大断面図である。
【図６Ｃ】図６Ｃ既存の内寸の異なる野生動物捕獲用籠に合わせることが可能な本発明のアライグマ捕獲用モジュールの筐体構造を示す側面図である。
【図７Ａ】図７Ａは既存の野生動物捕獲用籠に設けられた連絡部材と、本発明のアライグマ捕獲用モジュールに設けられた連結部材とを接続する中継部材の構造及び中継部材を野生動物捕獲用籠に取り付ける保持部材の構造を示す組立斜視図である。
【図７Ｂ】図７Ｂは連絡部材と連結部材とが中継部材を介して接続された状態を示す側面図である。
【図７Ｃ】図７Ｃは野生動物捕獲用籠に入ったアライグマが餌を引っ張った時の中継部材の動作を示す説明図である。
【図８】図８は既存の野生動物捕獲用籠の側面に孔を設けて本発明のアライグマ捕獲用モジュールを取り付ける実施例を示す斜視図である。
【図９Ａ】図９Ａは、図２に示したアライグマ捕獲用モジュールが籠の内部に挿入されて取り付けられた状態を示す側面図である。
【図９Ｂ】図９Ｂは、アライグマ捕獲用モジュールが取付枠によって籠の外側に嵌め込まれて取り付けられた状態を示す側面図である。
【図９Ｃ】図９Ｃは、取付枠を備えた第１の種類のアライグマ捕獲用モジュールの外観を示す斜視図である。
【図９Ｄ】図９Ｄは、取付枠を備えた第２の種類のアライグマ捕獲用モジュールの外観を示す斜視図である。
【図９Ｅ】図９Ｅは、取付枠を備えた第３の種類のアライグマ捕獲用モジュールの外観を示す斜視図である。
【図１０Ａ】図１０Ａは、開閉蓋の付いた縦型収納容器にアライグマ捕獲用モジュールが取り付けられた状態を示す斜視図である。
【図１０Ｂ】図１０Ｂは、図１０Ａに示した縦型収納容器にアライグマが進入する時の状態を示す側面図である。
【図１０Ｃ】図１０Ｃは、縦型の直方体状の動物捕獲用籠にアライグマ捕獲用モジュールが取り付けられた状態を示す斜視図である。
【発明を実施するための形態】
【００１０】
以下、添付図面を用いて本発明のアライグマ捕獲用モジュールの実施の形態を、具体的な実施例に基づいて詳細に説明する。なお、同じ機能を備えた構成部材には同じ符号を付して説明する。
【００１１】
図１Ａは本発明のアライグマ捕獲用モジュールを取り付ける既存の野生動物捕獲用籠１（単に籠１と記す場合もある）の一例の構造を示すものである。この例の野生動物捕獲用籠１は横長であり、一方の端部にある入口１Ｆには重力落下式の扉２が設けられている。野生動物捕獲用籠１を用いて野生動物を捕獲する場合は、重力落下式の扉２を引き上げてロック機構３でロックし、入口１Ｆから動物が内部に進入できるようにする。ロック機構３には連絡部材４が接続しており、この連絡部材４は籠１の入口１Ｆから遠い側に設けられるトリガ部材（図示せず）に接続される。トリガ部材には餌が取り付けられ、籠１の中に進入した野生動物が餌を食べる動作でトリガ部材が動作し、トリガ部材が連絡部材４を引っ張ることによってロック機構３のロックが解除され、扉２が落下して野生動物が捕獲される。
【００１２】
図１Ｂは本発明のアライグマ捕獲用モジュールを取り付ける既存の野生動物捕獲用籠１の別の例の構造を示すものである。この例の野生動物捕獲用籠１も横長であり、一方の端部にある入口１Ｆにはバネ式の開閉扉２が設けられている。この例の野生動物捕獲用籠１を用いて野生動物を捕獲する場合は、扉２をバネ力に抗して移動させ、扉２が開口１Ｆを開いた状態でロック機構３でロックし、入口１Ｆから動物が進入できるようにする。ロック機構３には連絡部材４が接続しており、この連絡部材４は籠１の入口１Ｆから遠い側に設けられるトリガ部材（図示せず）に接続される。トリガ部材には餌が取り付けられ、籠１の中に進入した野生動物が餌を食べる動作でトリガ部材が動作し、トリガ部材が連絡部材４を引っ張ることによってロック機構３のロックが解除され、扉２がバネ力で入口１Ｆを閉鎖して野生動物が捕獲される。
【００１３】
図１Ａと図１Ｂに示した既存の野生動物捕獲用籠１に本発明のアライグマ捕獲用モジュールを取り付ける場合は、既存の野生動物捕獲用籠１の入口１Ｆの反対側の端部にある壁（後壁）５を除去して開口（モジュール取付孔）１Ｂを設けて取り付ける。アライグマ捕獲用モジュールの取り付け方には、このモジュール取付孔１Ｂに差し込む方法と、モジュール取付孔１Ｂの外側に取り付ける方法がある。なお、野生動物捕獲用籠１から後壁５を除去する代わりに、野生動物捕獲用籠１の後壁５の近くの側面をアライグマ捕獲用モジュールの大きさ分だけ除去し、アライグマ捕獲用モジュールを側面から差し込んで取り付けることもできる。
【００１４】
図２は、図１Ａと図１Ｂに示した既存の野生動物捕獲用籠１の後壁５を除去してできたモジュール取付孔１Ｂに取り付ける本発明の３種類のアライグマ捕獲用モジュール２０を示すものである。図２の一番上に示される第１の種類のアライグマ捕獲用モジュール２０は、中空の筺体１０を備えており、この筺体の外寸は、籠１の内寸と同等であり、所定の奥行とフランジ１７を備えている。筺体１０は樹脂で形成することができるが、木材で形成することも可能である。また、筺体１０のフランジ１７がない面（籠１の入口１Ｆ側の面であり、以後前面という）１０Ｆの下部には開口部１１Ｓが設けられている。第１の種類のアライグマ捕獲用モジュール２０では、開口部１１Ｓは矩形状であり、その大きさは、アライグマの上腕が挿入可能な大きさとなっている。第１の種類のアライグマ捕獲用モジュール２０は、前面１０Ｆ側を籠１のモジュール取付孔１Ｂから差し込み、フランジ１７が籠１に当接した状態で固定して使用する。
【００１５】
図２の中央に示される第２の種類のアライグマ捕獲用モジュール２０は樹脂製の中空の筺体１０を備えており、その大きさは第１の種類のアライグマ捕獲用モジュール２０と同じである。第２の種類のアライグマ捕獲用モジュール２０が第１の種類のアライグマ捕獲用モジュール２０と異なる点は、第１の種類のアライグマ捕獲用モジュール２０における開口部１１Ｓが、円形の腕挿入口１１Ｃになっている点のみである。腕挿入口１１Ｃの大きさは、アライグマの上腕が挿入可能な大きさであれば良く、円形でなくても良い。第２の種類のアライグマ捕獲用モジュール２０も、前面１０Ｆ側を籠１のモジュール取付孔１Ｂから差し込み、フランジ１７が籠１に当接した状態で固定して使用する。
【００１６】
図２の一番下に示される第３の種類のアライグマ捕獲用モジュール２０は樹脂製の中空の筺体１０を備えており、その大きさは第１及び第２の種類のアライグマ捕獲用モジュール２０と同じである。第３の種類のアライグマ捕獲用モジュール２０が第２の種類のアライグマ捕獲用モジュール２０と異なる点は、筺体１０に筺体１０を貫通する貫通孔２１が設けられている点のみである。貫通孔２１の大きさは、アライグマが完全に通り抜けられる大きさであり、直径１５ｃｍ程度であれば良い。この貫通孔２１は、籠１内にアライグマを捕獲した後に、籠１に隣接させたキャリーステーション（後述）にアライグマを移動させる時に使用するものであり、アライグマが通ればその断面形状は円形に限定されるものではない。貫通孔２１の形状は、例えば、三角形状の孔等の多角形状の孔や、スロープ１５の下の空間の形状と同じ形状でも構わない。
【００１７】
筺体１０に筺体１０を貫通する貫通孔２１が設けられている場合は、籠１に捕獲したアライグマが逃げないように、筺体１０のフランジ１７に溝１０Ｍを設け、この溝１０Ｍにシャッタ板１７を引抜き可能に内蔵させ、常時は貫通孔２１を閉鎖しておく。筐体１０の後ろ側に前述のキャリーステーションを取り付けた場合には、シャッタ板１７を開いて貫通孔２１からアライグマをキャリー籠に移し、移した後に閉じれば良い。
【００１８】
図３Ａから図３Ｃは、図２に示した本発明の第１の種類のアライグマ捕獲用モジュール２０を野生動物捕獲用籠１に取り付けた時の筺体１０の内部の構造例を示すものである。また、図３Ｄは図２に示した本発明の第２の種類のアライグマ捕獲用モジュール２０を野生動物捕獲用籠１に取り付けた時の筺体１０の内部構造例を示すものである。
【００１９】
図３Ａは第１の種類のアライグマ捕獲用モジュール２０の第１の実施例の内部構造を示すものである。第１の実施例の筺体１０の内部には、アライグマ６が開口部１１Ｓから上腕６Ａまで挿入した時に、アライグマ６の手６Ｈが届く範囲内に、餌７を入れる餌置き部として、餌籠１２Ａが設けられている。餌籠１２Ａは筺体１０の天井部１０Ｓからワイヤ１３によって吊り下げられており、このワイヤ１３が籠１の外部で連結部材１４に接続されている。連結部材１４は図１Ａ、Ｂ及び図２に示した連絡部材４に接続するものである。餌籠１２Ａは釣鐘状でその底面は中央部に設けられた孔から上側に折り返されており、折り返し部に餌７が置かれるようになっている。アライグマは餌７に対して破線で示すように肘を曲げ、手首を曲げて餌７を取ろうとする。アライグマの親指から小指までは全て同じ方向に曲げることができるので、かなりの範囲の餌７を取ることができる。
【００２０】
第１の実施例のアライグマ捕獲用モジュール２０では、アライグマ６が肘を含む上腕６Ａを開口部１１Ｓに挿入し、肘を曲げ、手首を曲げて餌籠１２Ａから餌７を取る動作を行うと、ワイヤ１３を通じて連結部材１４が移動する。そして、連結部材１４の移動により連絡部材４が引っ張られ、図１Ａと図１Ｂ及び図２に示したロック機構３のロック解除動作が行われるので、扉が閉じてアライグマが捕獲される。アライグマ以外の野生動物では、開口部１１Ｓに手や鼻を突っ込んでも、手や鼻が餌籠１２Ａに届かないので、餌籠１２Ａが開口部１１Ｓ側に引っ張られることながく、籠１の扉が閉じることがない。よって、第１の実施例のアライグマ捕獲用モジュール２０が取り付けられた野生動物捕獲用籠１を用いれば、アライグマのみを捕獲することができ、他の野生動物は捕獲されない。
【００２１】
図３Ｂは第１の種類のアライグマ捕獲用モジュール２０の第２の実施例の内部構造を示すものである。第２の実施例の筺体１０の内部には、アライグマ６が開口部１１Ｓから肘と共に上腕６Ａを挿入した時に、アライグマ６の手６Ｈが届く範囲内に、餌を入れる餌置き部として、餌籠１２Ａが設けられている。餌籠１２Ａは筺体１０の天井部１０Ｓからワイヤ１３によって吊り下げられており、このワイヤ１３が籠１の外部で連結部材１４に接続されている。第２の実施例の餌籠１２Ａは筺体１０の前面１０Ｆに近い部分に吊り下げられており、前面１０Ｆの反対側が餌７を取り出せるように開口している。
【００２２】
第２の実施例のアライグマ捕獲用モジュール２０では、アライグマ６が肘を含む上腕６Ａを開口部１１Ｓに挿入した後、破線のように肘を曲げ、手６Ｈを回して餌籠１２Ａから餌７を取る動作を行うので、餌籠１２Ａがアライグマの方に引き寄せられ、ワイヤ１３を通じて連結部材１４が移動する。連結部材１４が移動した後の動作は第１の実施例と同じである。アライグマ以外の野生動物では、開口部１１Ｓから差し込んだ手を回すことができないので、籠１の扉が閉じることがない。よって、第２の実施例のアライグマ捕獲用モジュール２０が取り付けられた野生動物捕獲用籠１を用いても、アライグマのみを捕獲することができ、他の野生動物は捕獲されない。
【００２３】
図３Ｃは第１の種類のアライグマ捕獲用モジュール２０の第３の実施例の内部構造を示すものである。第３の実施例の筺体１０の内部には、アライグマ６が開口部１１Ｓから肘を含む上腕６Ａを挿入した時に、アライグマ６の手６Ｈが届く範囲内に、餌を入れる餌置き部として、餌籠１２Ａが設けられている。餌籠１２Ａの形状はワイヤを組んだ直方体形状であり、内部に餌７が置かれている。
【００２４】
第３の実施例のアライグマ捕獲用モジュール２０では、アライグマ６が肘を含む上腕６Ａを開口部１１Ｓに挿入した後、破線のように肘を曲げ、餌籠１２Ａの底面を手６Ｈを用いて引っ張るので、餌籠１２Ａがアライグマの方に引き寄せられ、ワイヤ１３を通じて連結部材１４が移動する。また、アライグマは第３の実施例の餌籠１２Ａに対しては、引っ張る他に、一旦押し上げてから手を離して落下させることも行う。このような場合は、重力で餌籠１２Ａが落下する時に発生する力で、ワイヤ１３を通じて連結部材１４が移動することになる。連結部材１４が移動した後の動作は第１と第２の実施例と同じである。アライグマ以外の野生動物では、開口部１１Ｓから差し込んだ手で餌籠１２Ａの底面を引っ張ることができないので、籠１の扉が閉じることがない。よって、第３の実施例のアライグマ捕獲用モジュール２０が取り付けられた野生動物捕獲用籠１を用いても、アライグマのみを捕獲することができ、他の野生動物は捕獲されない。
【００２５】
図３Ｄは第２の種類のアライグマ捕獲用モジュール２０の一実施例の内部構造を示すものである。第２の種類のアライグマ捕獲用モジュール２０の構造は第１の種類の第１から第３の実施例のアライグマ捕獲用モジュール２０の構造と異なる。第２の種類では、前面１０Ｆの下端部から所定の高さを備えた位置に開けられた円形の腕挿入口１１Ｃがあり、腕挿入口１１Ｃの直下に設けられた腕置き台１２Ｂと、腕置き台１２Ｂの先端から手前に戻る方向に設けられた餌収納穴１２Ｈとを備える。餌収納穴１２Ｈの奥にはワイヤ１３で連結部材１４に接続するトリガ部材１６が設けられており、このトリガ部材１６よりも開口側に餌７が置かれる。
【００２６】
第２の種類のアライグマ捕獲用モジュール２０では、アライグマ６が肘を含む上腕６Ａを円形の腕挿入口１１Ｃに挿入した後、破線のように肘を曲げ、手６Ｈを下に回して餌収納穴１２Ｈ内の餌７を手６Ｈを用いて引っ掻き回す。すると、トリガ部材１６がこの動作で回転して、ワイヤ１３を引っ張り、ワイヤ１３を通じて連結部材１４が移動する。連結部材１４が移動した後の動作は第１の種類の第１から第３の実施例と同じである。アライグマ以外の野生動物では、腕挿入口１１Ｃから差し込んだ手を下に回して餌収納穴１２Ｈ内の餌７を引っ掻き回すことができないので、籠１の扉が閉じることがない。よって、第２の種類のアライグマ捕獲用モジュール２０が取り付けられた野生動物捕獲用籠１を用いても、アライグマのみを捕獲することができ、他の野生動物は捕獲されない。腕挿入口１１Ｃの断面形状は円形に限定されるものではなく、例えば、三角形状の孔等の多角形状の孔でも良い。
【００２７】
図４Ａは、図２に示した本発明の第３の種類のアライグマ捕獲用モジュール２０の一実施例の内部構造を正面側から見て示すものであり、図４Ｂは図４Ａに示したアライグマ捕獲用モジュール２０を背面側から見たものである。筺体１０の前面１０Ｆに設けられる開口部は、前面１１Ｆの左右何れかの下端部近傍に開けられた円形の腕挿入口１１Ｃであり、筺体１０の内部には腕挿入口１１Ｃの位置から斜め上方に傾斜するスロープ１５が設けられている。腕挿入口１１Ｃが前面１１Ｆの右側の下端部近傍に設けられている場合（図４Ａの状態）は、スロープ１５は左上がりであり、腕挿入口１１Ｃが前面１１Ｆの左側の下端部近傍に設けられている場合は、スロープ１５は右上がりである。
【００２８】
第３の種類のアライグマ捕獲用モジュール２０には、筺体１０を貫通する貫通孔２１が設けられているので、フランジ１７にシャッタ板２２が内蔵されている。なお、図２に示した本発明の第２の種類のアライグマ捕獲用モジュール２０は、筺体１０に貫通孔２１が設けられていないだけであり、構造は第３の種類のアライグマ捕獲用モジュール２０と同じである。
【００２９】
また、図４Ｃは本発明のアライグマ捕獲用モジュール２０が取り付けられた既存の野生動物捕獲用籠１の端部において、アライグマ捕獲用モジュール２０の外側を籠１の外側から覆う遮光カバー（外側筺体）３０を示すものである。アライグマ捕獲用モジュール２０の筺体１０の全体が、餌７を外部から視認可能なように透明度を備えた樹脂で作られている場合、餌７は籠１の内部からのみ視認できるようにした方が良い。このような場合、アライグマ捕獲用モジュール２０の筺体１０の前面１０Ｆ以外を隠すものが外側筺体３０である。外側筺体３０の内寸は籠１の外寸よりも大きくし、籠１の端部を覆うように籠１の外側に取り付ける。外側筺体３０は遮光性部材で形成する。なお、筺体１０の前面１０Ｆのみが透明度を備えた樹脂で作られ、他の面が遮光性の樹脂で作られている場合は、外側筺体３０は必要がない。
【００３０】
図５Ａは図４Ａのように形成されたアライグマ捕獲用モジュール２０のスロープ１５に餌置き部１２が取り付けられた状態を示すものである。餌置き部１２は連結部材１４に接続するワイヤ１３に吊るされて、スロープ１５の上に摺動可能に設けられている。餌置き部１２は箱状であり、内部に餌を入れることができる。図５Ｂは図５Ａに示したアライグマ捕獲用モジュール２０の変形実施例を示すものであり、筺体１０の前面１０Ｆにスロープ１５に沿って小孔１０Ａを設けたものである。小孔１０Ａを設けておくと、籠１内に餌のにおいが出て行くので、アライグマが餌の存在に気付き易い。
【００３１】
なお、餌置き部１２とスロープ１５の間の摩擦係数を大きくして、スロープ１５の上に置いた餌置き部１２が滑り落ちないようにすれば、餌置き部１２は連結部材１４に接続するワイヤ１３に吊るされた状態でなくても良い。餌置き部１２とスロープ１５の間の摩擦係数を大きくする方法としては、スロープ１５の表面に小さな波状の凹凸を設け、餌置き部１２の底面にも同様の凹凸を設けておく方法がある。また、スロープ１５の上に紙やすりを貼り付けて摩擦力を増すことができる。
【００３２】
また、連結部材１４の移動により連絡部材４が引っ張り、ロック機構３のロック解除動作が行って扉を閉じる機構について説明したが、電気信号の入力により連結部材４を引っ張る駆動機構を付加して扉を閉じ、アライグマを捕獲することも可能である。駆動機構に電気信号を与えるスイッチは、例えば、図５Ａに示したスロープ１５の途中に設けることができる。具体的には、スロープ１５の下方にローラを取り付けて餌置き部１２を保持し、餌置き部１２が移動してローラが回転したらスイッチが入るようにしたり、スロープ１５の途中に出没突起を設けて餌置き部１２を係止しておき、餌置き部１２が移動して出没突起がスロープ１５の中に没したらスイッチが入るようにすれば良い。
【００３３】
更に、スロープ１５は片方に傾斜するものではなく、図５Ｃに示すように、中央部から両側に傾斜するスロープ１５でも良い。この場合は腕挿入口１１Ｃがスロープ１５の両裾部に設けられる。また、餌置き部１２は、スロープ１５の頂点部にワイヤ１３に接続して配置することができる。
【００３４】
一方、図５Ｄは、図５Ａに示した第３の種類のアライグマ捕獲用モジュール２０の後ろ側にキャリーステーション３１を取り付けた状態を示す側面図である。キャリーステーション３１は、その本体をシャッタ板２２を持ち上げた状態で貫通孔２１に差し込んでアライグマ捕獲用モジュール２０の後ろ側に取り付ける。キャリーステーション３１の入口には外側には開かないシャッタ３２と、持ち運び用の取っ手３３が設けられている。取っ手３３はキャリーステーション３１の上面から突出しておらず、キャリーステーション３１は積み重ねることができる。取っ手３３がキャリーステーション３１の上面から突出する場合は、キャリーステーション３１の底面に取っ手３３を収容できる凹部を設けておき、キャリーステーション３１が積み重ねることができるようにする。
【００３５】
また、アライグマは暗い場所を好むので、キャリーステーション３１の本体を光を遮断したり、減光させたりする部材で構成し、キャリーステーション３１の内部を暗くしておく。但し、シャッタ３２は透明部材で形成して、キャリーステーション３１の内部が暗いことを籠１の中から分かるようにしておく。キャリーステーション３１の本体を構成する部材には色の濃い樹脂や金属、或いは木材を使用することができる。この構成により、籠１の中にアライグマが捕らえられた後、アライグマがシャッタ３２を押して暗いキャリーステーション３１の内部に移り易い。シャッタ３２は外側には開かないので、キャリーステーション３１の内部に入ったアライグマは逃げることができない。アライグマが内部に入ったキャリーステーション３１はアライグマ捕獲用モジュール２０から外し、新たなキャリーステーション３１をアライグマ捕獲用モジュール２０に取り付ける。
【００３６】
アライグマが内部に入ったキャリーステーション３１は取っ手３３を持って運搬して、別の場所に保管する。アライグマが続けて捕獲できた場合は、キャリーステーション３１を積み重ねて保管する。なお、キャリーステーション３１の本体には、アライグマが生存できるように空気孔が設けられている。
【００３７】
図６Ａは、図５Ａに示した第３の種類のアライグマ捕獲用モジュール２０内に、アライグマを呼び寄せる誘引作用を備えた芳香剤１８と、芳香剤１８からの香りを筺体１０の外部に放出するファン１９を設けた実施例を示すものである。筺体１０には空気取り入れ口１０Ｋを設けておき、外部から取り込んだ空気を芳香剤１８を通し、筺体１０に設けられた腕挿入口１１Ｃから外部に放出するようにすれば、アライグマを籠１に導き易くなる。この場合、図６Ｂに示すように、筺体１の他の部位にも弁１０Ｖを備えた通気孔１０Ｈを設けておき、ファン１９が動作した時に外気を内部に取り入れて香りの放出量を増やすようにしても良い。ファン１９の電源は電池、充電池または太陽電池（充電池との組合せを含む）とすれば良い。
【００３８】
なお、ファン１９にはタイマーを設けておき、このタイマーは、アライグマの行動が少ない時間帯は動作させず、アライグマ捕獲用モジュール２０から芳香剤１８の香りを放出しないようにし、アライグマの行動が盛んになる時間帯（主に夜間）に動作させて、香りを放出するように設定しておく。ファン１９が動作しない時には、芳香剤１８の香りがアライグマ捕獲用モジュール２０の内部に漏れ出ないように、芳香剤１８を収容するファンケースには、空気の入口部と空気の出口部に弁１９Ｖ１と弁１９Ｖ２を設けておく。このようにすれば、アライグマを呼び寄せたい時だけタイマーによってファン１９を動作させて芳香剤１８の香りを放出することにより、一層効果的にアライグマを捕獲することができ、電源からの供給電力も節約できる。
【００３９】
図６Ｃは、既存の内寸の異なる野生動物捕獲用籠１に合わせることが可能な本発明のアライグマ捕獲用モジュール２０の筐体１０の構造を示すものである。既存の野生動物捕獲用籠１に内寸が異なるものがある場合は、そのサイズに合わせて筺体１０に段差部１０Ｄを設けておけば、アライグマ捕獲用モジュール２０を複数種類の野生動物捕獲用籠１に取り付けることが可能となる。
【００４０】
図７Ａは既存の野生動物捕獲用籠１に設けられた連絡部材４と、本発明のアライグマ捕獲用モジュール２０に設けられた連結部材１４とを接続する中継部材８の構造及び中継部材８を野生動物捕獲用籠１に取り付ける保持部材９の構造を示すものである。この実施例では、保持部材９の中央部に係止突起９Ｐが突設されており、中継部材８の中央部にはこの係止突起９Ｐを挿通させる孔８Ｈが設けられている。また、中継部材８の上には張力調整用の突起８Ｐが複数設けられており、連絡部材４と連結部材１４はセット状態における引っ張り力に合わせて突起８Ｐにジグザグに巻き付けられて係止される。連絡部材４と連結部材１４の張力調整用の部材はこの実施例の突起８Ｐに限定されるものではない。保持部材９の中央部に突設された係止突起９Ｐは柔軟な材料で形成されている。
【００４１】
このように連結部材１４と連絡部材４の間に中継部材８を設ける理由は、本発明の餌籠（餌置き部）１２は何れもワイヤによって吊り下げられているので、連結部材１４には重力による引っ張り力が加わっているからである。そこで、この重力による引っ張り力が連結部材１４から連絡部材４に伝わって誤って籠１の扉が閉じることがないように、連結部材１４と連絡部材４の間に中継部材８を設けて、重力による引っ張り力が連結部材１４から連絡部材４に伝わらないようにしている。
【００４２】
図７Ｂは連絡部材４と連結部材１４とが中継部材８を介して接続された状態を示すものである。アライグマが捕獲されていない状態では、中継部材８の孔８Ｈが保持部材９の係止突起９Ｐに係合している。従って、連結部材１４にアライグマの捕獲に関係のない多少の引っ張り力が加わっても、その引っ張り力は係止突起９Ｐによって止まり、アライグマの捕獲に関係のない引っ張り力が連絡部材４に伝わらない。一方、アライグマが餌を取ることにより大きな引っ張り力が連結部材１４に発生した場合には、図７Ｃに示すように保持部材９の突起９Ｐが倒れ、中継部材８が保持部材９から外れて移動する。この結果、連結部材１４が連絡部材４に接続され、籠１の扉が閉じてアライグマを捕獲することができる。
【００４３】
図８は、既存の野生動物捕獲用籠１の側面１Ｓに横孔１Ｈをモジュール取付孔として設けて本発明のアライグマ捕獲用モジュール２０を取り付ける実施例を示すものである。このように、本発明のアライグマ捕獲用モジュール２０は既存の野生動物捕獲用籠１の後端部からのみではなく、側面からも既存の野生動物捕獲用籠１に取り付けることができる。これ以外にも、もっと大型の野生動物捕獲用籠であっても、孔を開けて取り付けることが可能である。
【００４４】
以上説明した実施例のアライグマ捕獲用モジュール２０は、図９Ａに示すように、アライグマ捕獲用モジュール２０が籠１の内部に挿入されて取り付けられていた。一方、図２で説明した３種類のアライグマ捕獲用モジュール２０における前面１０Ｆの周囲に、取付枠２３を設けた図９Ｃから図９Ｅに示すようなアライグマ捕獲用モジュール２０Ａが可能である。取付枠２３は筐体１０に一体的に設けることができる。取付枠２３の内法は、籠１の入口１Ｆの反対側にあるモジュール取付孔１Ｂの周囲の籠１の外形寸法に等しい。よって、図９Ｃから図９Ｅに示す３種類のアライグマ捕獲用モジュール２０Ａは、図９Ｂに示すように、取付枠２３を籠１の外側に嵌め込んで取り付けることができる。
【００４５】
図１０Ａは、開閉蓋４１の付いた縦型収納容器４０に、図２に示したアライグマ捕獲用モジュール２０が取り付けられた状態を示すものである。縦型収納容器４０は、上部開口と底面とを備える中空の柱状容器本体４５と、柱状容器本体４５の上部側面に回転軸４２で軸支されて回転し、上部開口の開閉蓋４１と、開閉蓋４１が閉じた状態でロックするロック機構４３とを備える。アライグマ捕獲用モジュール２０が第２の種類の場合は、柱状容器本体４５の背面の下部に、アライグマ捕獲用モジュール２０の前面１０Ｆにある腕挿入口１１Ｃと同程度の孔を設けてアライグマ捕獲用モジュール２０を取り付ければ良い。
【００４６】
アライグマ捕獲用モジュール２０の構造は既に説明したのでここではその説明を省略する。アライグマ捕獲用モジュール２０の筺体１０の内部に設けられている餌置き部材は、伝達部材４４によってロック機構４３に接続されている。餌置き部材とロック機構４３とを接続する伝達部材４４には、電気的な機構、機械的な機構、或いは油圧機構の何れかを使用すれば良い。
【００４７】
図１０Ｂに示すように、縦型収納容器４０に開閉蓋４１が付いていても、アライグマ６は、柱状容器本体４５をよじ登り、手で開閉蓋４１を開けて中に進入することができる。よって、アライグマ６が開閉蓋４１を開けて柱状容器本体４５の中に進入し、開閉蓋４１が閉じた状態でアライグマが餌置き部材から餌を取る動作を行うと、伝達部材４４がロック機構４３に蓋４１のロック動作を行わせれば、アライグマ６を捕獲できる。
【００４８】
図１０Ｃは、縦型の直方体状の動物捕獲用籠５０にアライグマ捕獲用モジュール２０が取り付けられた状態を示すものである。縦型の直方体状の動物捕獲用籠５０は、縦型の直方体状の籠本体５１と、籠本体５１の１つの側面の下部にある入口部５２を開閉する扉５３と、扉５３を開放状態でロックするロック機構５７と、籠本体５１の天井部５５から吊り下げられた餌掛けフック５６を備える。フック５６はロック機構５７に連絡部材５８で接続されており、籠本体５１内に進入した動物がフック５６に掛けられた餌を取る動作を行った時に連絡部材５８の動作でロック機構５７がロック解除動作を行う。
【００４９】
アライグマ捕獲用モジュール２０は、籠本体５１の上方の内壁部に取り付けられる。アライグマ捕獲用モジュール２０には図２に示した第１と第２の種類のアライグマ捕獲用モジュール２０の何れかを取り付けることができる。アライグマ捕獲用モジュール２０の構造は既に説明したのでここではその説明を省略する。アライグマ捕獲用モジュール２０の筺体１０の内部に設けられている餌置き部材は、伝達部材５４によってロック機構５７に接続されている。餌置き部材とロック機構５７とを接続する伝達部材５４は餌付けフック５６とロック機構５７とを接続する連絡部材５８と同じ機構と同じにすることができる。
【００５０】
縦型の直方体状の動物捕獲用籠５０にアライグマ６が入口部５２から籠本体５１の中に進入し、アライグマがアライグマ捕獲用モジュール２０の餌置き部材から餌を取る動作を行うと、伝達部材５４がロック機構５７にロック解除動作を行わせる。この結果、扉５３が閉まってアライグマ６を捕獲できる。この場合、絵付けフック５６に餌を付けておかなければ、アライグマだけを捕獲することができる。
【００５１】
以上説明したように、本発明によれば、既存の野生動物捕獲用の籠に取り付けることによって、この籠を用いてアライグマのみを捕獲することができる。また、籠や容器に本発明のアライグマ捕獲用モジュールを取り付けたアライグマの捕獲装置を形成することも可能である。
【図３Ａ】
2014046264.tif 000003
【図３Ｂ】
2014046264.tif 000004
【図３Ｃ】
2014046264.tif 000005
【図３Ｄ】
2014046264.tif 000006
【図４Ａ】
2014046264.tif 000007
【図４Ｂ】
2014046264.tif 000008
【図４Ｃ】
2014046264.tif 000009
【図５Ａ】
2014046264.tif 000010
【図５Ｂ】
2014046264.tif 000011
【図５Ｃ】
2014046264.tif 000012
【図５Ｄ】
2014046264.tif 000013
【図６Ａ】
2014046264.tif 000014
【図６Ｂ】
2014046264.tif 000015
【図６Ｃ】
2014046264.tif 000016
【図７Ａ】
2014046264.tif 000017
【図７Ｂ】
2014046264.tif 000018
【図７Ｃ】
2014046264.tif 000019
【図８】
2014046264.tif 000020
【図９Ａ】
2014046264.tif 000021
【図９Ｂ】
2014046264.tif 000022
【図９Ｃ】
2014046264.tif 000023
【図９Ｄ】
2014046264.tif 000024
【図９Ｅ】
2014046264.tif 000025
【図１０Ａ】
2014046264.tif 000026
【図１０Ｂ】
2014046264.tif 000027
【図１０Ｃ】
2014046264.tif 000028
【図１Ａ】
2014046264.tif 000029
【図１Ｂ】
2014046264.tif 000030
【図２】
2014046264.tif 000031
【国際調査報告】
2014046264.tif 000032
2014046264.tif 000033